(57)【要約】      （修正有）【課題】下層土壌の土質が表土より優れている圃場の場合や、表土の疲弊が進んでいる圃場の土壌を作業機を利用して土壌改良する。【解決手段】耕深を2段に設定した心土耕起用ボトム５と表土耕起用ボトム６を複数組装備することで圃場の土壌改良作業の効率化を向上し、作業時間の短縮で作業コストを軽減し、耕深を浅くして、より牽引力の少ないトラクタでも土壌改良作業を行うことを可能にする。【選択図】図１
2013188192.tif 000002
【特許請求の範囲】
【請求項１】
作業進行方向に向って前方に心土耕起用ボトム、後方に表土耕起用ボトムを並列配置して、心土耕起用ボトムによって形成されたれき溝に表土耕起用ボトムにより反転されるれき土を投入するようにした土壌改良作業機において、心土耕起用ボトムの耕深を抑えることで牽引する車両の馬力を減少させ、心土耕起用ボトム及び表土耕起用ボトムの組合せを複数にすることで作業効率の向上が可能となり、かつ心土耕起用ボトムと表土耕起用ボトムの対の組合せを複数装備するように構成したことを特徴とする土壌改良作業機。
【発明の詳細な説明】
【技術分野】
【０００１】
本発明は、圃場において連作障害の土壌や表土より下層土の土質が優れている場合に
良質の下層土を反転し、混層して地力を向上させる土壌改良作業機に関する。
【背景技術】
【０００２】
作物を作ることにおいて、同じ土壌に同じ種類の作物を作ると、病気にかかりやすくなったり、育ちにくくなったりする。これは土中の栄養バランスが崩れ、生育障害を起こしたり、特定の病原菌が増えてしまうからである。
【０００３】
この障害を防ぐため、障害が発生しやすい作物の生産においては、作付けをあける年数を設けて連作障害を少なくする工夫がされている。しかし毎年生産したいというのは生産者の切なる思いである。
【０００４】
また自然災害などで圃場としてきちんと整備をした場所に長雨や台風から発生する土石流や火山灰などが堆積してしまい、表土より下層の土壌の方が土質的に優れているということが発生する。
【０００５】
そこで種々の要因で連作障害になっていたり、下層土壌の土質が表土より優れている圃場の場合に、下層土壌を反転し、混層して土壌改善を行う2段耕プラウ（特許文献１）がよく用いられる。
【先行技術文献】
【特許文献】
【０００６】
【特許文献１】実公平７−１５３６３号
【発明の概要】
【発明が解決しようとする課題】
【０００７】
2段耕プラウは、作業進行方向に向って前方に心土耕起用ボトム、後方に表土耕起用ボトムを並列で対になって配置され、トラクタに牽引されて、圃場の土壌を耕起反転し、混層を行う作業機であり、通常心土耕起用ボトムの耕深は約６０〜７０cmとされている。
【０００８】
ところが、深耕により掘削された大量の土が抵抗となり、牽引車両に大きな牽引力が必要となってしまい、圃場条件によっては牽引できなくなってしまうことが多く発生する。
そのために、他の作業機の適用馬力より大きい馬力のトラクタが必要となる。
【０００９】
そのために牽引力が大きく、適用馬力の大きいトラクタが必要となり、作業コストの上昇にもつながることでなかなか導入できないところもある。つまり大きいトラクタ専用の作業機になってしまうこともあり、運用コスト、管理コストの上昇にもひびいてしまう。    
【００１０】
そのうえ、ボトムの組み合わせが深心土耕起用ボトムと表土耕起用ボトムの対が1つの装着のため、広い圃場の土壌改良に利用すると往復耕ではないため、実際の圃場での作業時間に比べ、移動時間が長くなる時間的なロスが大きく、コストの上昇にもつながっている。。
【課題を解決するための手段】
【００１１】
本発明は上記課題を解決するために、作業進行方向に向って前方に心土耕起用ボトム、後方に表土耕起用ボトムを並列配置して、心土耕起用ボトムによって形成されたれき溝に表土耕起用ボトムにより反転されるれき土を投入するようにした土壌改良作業機において、心土耕起用ボトムの耕深を抑えることで牽引する車両の馬力を減少させ、心土耕起用ボトム及び表土耕起用ボトムの組合せを複数にすることで作業効率の向上が可能となり、かつ心土耕起用ボトムと表土耕起用ボトムの対の組合せを複数装備するように構成したことを特徴とする土壌改良作業機を提供する
【発明の効果】
【００１２】
本発明によれば、深耕ボトムの耕深を抑え、また複数の対になったボトムを装着することで従来の作業機と比較して牽引力が大きなトラクタを選択しなくともよく、旧来使用していたトラクタで、しかも耕起する全体の耕起幅も広くなり、運用コスト、作業コスト、作業時間の軽減が可能となる。
【図面の簡単な説明】
【００１３】
【図１】本発明の土壌改良作業機の実施例１を説明する図であり側面図である。
【図２】本発明の土壌改良作業機の実施例１を説明する図であり平面図である。
【図３】本発明の土壌改良作業機の実施例１を説明する図であり正面図である
【図４】本発明の土壌改良作業機の実施例１におけるシリンダ取付の詳細図である。
【図５】本発明の土壌改良作業機の実施例１における耕起作業を説明する圃場の断面図で作業進行方向後方からみたものである。
【発明を実施するための形態】
【００１４】
本発明に係る土壌改良作業機を実施するための形態を実施例に基づき図面を参照して、以下説明する。
【実施例１】
【００１５】
本発明に係る土壌改良作業機１の実施例１を。図１〜５において説明する。図１〜３はトラクタ２に土壌改良作業機１を取付け、作業姿勢の状態を示す図である。なお本図面には、トラクタ２は図示しない。
【００１６】
土壌改良作業機１は図１〜３に示すように、マスト部３、フレーム４、心土耕起用ボム５、表土耕起用ボトム６とを備えている。
【００１７】
マスト部３は、作業進行方向直角の方向にマストフレーム３１を備え、その中ほどから起立する１対のブラケット３２、３２aを取付け、前記マストフレームの端部にはそれぞれブラケット３３、３３aを取付け、シャフト３４を枢着している。
【００１８】
前記シャフト３４の両端に、トラクタのリンク装置のロアリンクLが装着され、かつ起立した前記の1対のブラケット３２、３２aにトップリンクピン３５が枢着され、前記トラクタのリンク機構のトップリンクUが装着される。
【００１９】
前記ロアリンクLをトラクタに装備されている油圧装置で上下動して土壌改良作業機を上下に昇降可能としている。
【００２０】
フレーム６は前記マスト部３を上下に挟むプレート４１、４１aでボルト固定されている。前記プレート４１、４１aのマスト側の固定箇所は耕幅の調整用として、ボルト４２を緩め、調整ねじ３６で前記マスト部３の後端に設けたスライド部３５とかみ合う摺動部をもつため、可動することができる。
【００２１】
ブラケット４３、４３a、４４、４４a、４５、４５aは、フレーム４をはさみ込むように取付けられ、４３、４３aはさらにプレート４１、４１aに合わせて取付けられる。
【００２２】
作業進行方向先端側の前記心土耕起用ボトム５は、円弧状の形状をしていて、作業進行方向後側に張出すような形状であるビーム４６の下端部に取付けられ、上端部はブラケット４８に取付けられる。該ブラケット４８は前記ブラケット４１、４１aに装着されている。
【００２３】
作業進行方向先端部から２番目の前記表土耕起用ボトム６は、作業進行方向に円弧状に張り出した形状のビーム４７の下端部に取付けられる。、前記ビーム４７は上端に向うにつれて垂直に延びる形状である。
【００２４】
前記サポート５０、５０aは前記ビーム４７と摺動可能となるように鍵型の修道面をビーム４７の側面と共有しており、それぞれブラケット４４、４４aに固定されている。
【００２５】
ビーム４７の上端部には、サポート５２が固定されておりピン５３でシリンダ４９のロッドと枢着されている。
【００２６】
シリンダ４９のピストン側は、サポート５０、５０aの下端に固定されるサポート５１とピン５４で枢着される。さらにブラケット４４aとも同時に枢着される・
【００２７】
そこで、シリンダ４９のロッドの伸縮によって、ビーム４７を上下に動かし、結果として表土耕起用ボトムを上下に動かしているのである。
【００２８】
心土耕起用ボトム５は、固定のため、耕起時の土量の調整はシリンダ４９を可動させて表土の土量を調整して作業を行うようになっている。
【００２９】
本発明は前記心土耕起用ボトム５と表土耕起用ボトム６の対の組み合わせを複数取り入れた製品を構成するもので、図には3.対の組合せの発明となっている。
【００３０】
図５より、トラクタにより牽引作業が開始されると、作業進行方向最初の前記心土耕起用ボトム５が心土を掘削し、表面の曲面に沿って反転され、放擲される。その耕幅はｗ1の寸法である。本発明によると。作業進行方向後方から見て右側に放擲される。その後、表土耕起用ボトム６が表土を掘削、反転、放擲される。前記心土耕起用ボト５で掘削されたところは、耕幅w１の寸法でs１の寸法の深さまで溝が形成されている。そののち、表土耕起用ボトム６で放擲された土が、形成された溝に反転され移動する。
【００３１】
本発明では、前記心土耕起用ボトム５と表土耕起用ボトム６の対の組合せを３組装備する。心土耕起用ボトム５が３つ装備されるので耕幅ｗ１の3倍の全耕起幅となり、それぞれの溝に、それぞれ表土耕起用ボトム６で耕起された土を放擲して表土を溝に落とすこととなる、
【００３２】
これらの作業において、下層の土壌が表土より劣っている圃場において、下層土壌を耕起反転、放擲した圃場に表土を耕起反転、放擲して土壌を混和して圃場の土壌改良を行うことになるのである。
【００３３】
また当初、大型のトラクタ用に開発された作業機での牽引力不足で耕起できない圃場でも、通常耕深より浅い耕深を作業深にすることと、心土耕起用ボトム5と表土耕起用ボトム６の単組仕様から、複数組装着した作業機にすることで作業効率の向上をすることが可能となった
【００３４】
また土壌改良作業となると、計画されている除染の作業に効果をあげることが予想され、その利用に期待がかかる。
【産業上の利用可能性】
【００３５】
本発明による土壌改良作業機は上記のような構成であるから、圃場の土壌改良作業にきわめて有用な作業機を提供するものである。
【符号の説明】
【００３６】
１    土壌改良作業機
２    トラクタ（本説明では割愛）
３    マスト部
３１  マストフレーム
３２、３２a  ブラケット
３３、３３a  ブラケット
３４  シャフト
３５  トップリンクピン
３６  調整ねじ
３７  スライド部
４    フレーム
４１、４１a  ブラケット
４２  ボルト
４３、４３a  ブラケット
４４、４４a  ブラケット
４５、４５a  ブラケット
４６  ビーム
４７  ビーム
４８  ブラケット
４９  シリンダ
５    心土耕起用ボトム
５０、５０a  サポート
５１  サポート
５２  サポート
５３  ピン
５４  ピン
６    表土耕起用ボトム
U    アッパリンク
Ｌ    ロアリンク
。
【図１】
2013188192.tif 000003
【図２】
2013188192.tif 000004
【図３】
2013188192.tif 000005
【図４】
2013188192.tif 000006
【図５】
2013188192.tif 000007